(57)【要約】      （修正有）【課題】検査を実施する候補日時を提示可能な装置を提供する。【解決手段】情報処理装置は、被検体に対する検査の種類に関する指示を取得し、被検体に対して予定されている検査の情報を取得し、指示された検査の種類に関する情報と、被検体に対して予定されている検査の情報とに基づいて、指示された検査を実施する日時に関する情報である候補日時情報生成する。【選択図】図３
2019101678.tif 000002
【特許請求の範囲】
【請求項１】
被検体に対する検査の種類に関する指示を取得する第１の取得手段と、
前記被検体に対して予定されている検査の情報を取得する第２の取得手段と、
前記指示された検査の種類に関する情報と、前記被検体に対して予定されている検査の情報とに基づいて、前記指示された検査を実施する日時に関する情報である候補日時情報を生成する生成手段と、
を有することを特徴とする情報処理装置。
【請求項２】
前記生成手段は、前記指示された検査の種類に関して予め定められている規則に基づいて、前記候補日時情報を生成することを特徴とする請求項１に記載の情報処理装置。
【請求項３】
前記規則は、複数の検査を実施する場合の順序に関することを特徴とする請求項２に記載の情報処理装置。
【請求項４】
前記生成手段は、前記指示された検査を実施することができる複数の日時に関する情報を前記候補日時情報として生成することを特徴とする請求項１乃至請求項３のいずれか１項に記載の情報処理装置。
【請求項５】
前記候補日時情報を表示部に表示させる表示制御手段をさらに有することを特徴とする請求項１乃至請求項４のいずれか１項に記載の情報処理装置。
【請求項６】
前記候補日時情報は複数の日時に関する情報を含み、
前記表示制御手段は、前記複数の日時に関する情報をそれぞれ区別可能に表示させることを特徴とする請求項５に記載の情報処理装置。
【請求項７】
前記表示制御手段は、前記複数の日時のうち、前記指示された検査を実施できる可能性に応じて表示態様を異ならせることを特徴とする請求項６に記載の情報処理装置。
【請求項８】
前記表示制御手段は、前記候補日時情報に含まれる前記複数の日時の中から、操作者が前記指示した検査を実施する日時を決定するための画面を表示させることを特徴とする請求項６又は請求項７のいずれか１項に記載の情報処理装置。
【請求項９】
前記指示された検査を前記決定された日時に実施するための検査オーダーを、オーダリングシステムに登録するために出力する出力手段をさらに有することを特徴とする請求項８に記載の情報処理装置。
【請求項１０】
前記表示制御手段は、カレンダーを表示させ、前記カレンダー上に前記候補日時情報と前記日時を決定するための画面とを表示させることを特徴とする請求項８又は請求項９のいずれか１項に記載の情報処理装置。
【請求項１１】
前記表示制御手段は、前記指示を操作者が入力させるための画面を表示させることを特徴とする請求項５乃至請求項１０のいずれか１項に記載の情報処理装置。
【請求項１２】
前記被検体に対して予定されている検査の情報は、前記指示より前にオーダリングシステムに登録されている検査の情報であって、検査を実施する日時の情報と検査の種類の情報とを含むことを特徴とする請求項１乃至請求項１１のいずれか１項に記載の情報処理装置。
【請求項１３】
前記指示された検査の種類と、前記被検体に対して予定されている検査の情報とに基づいて前記候補日時情報を生成する生成手段をさらに有し、
前記表示制御手段は、前記生成された前記候補日情報を表示させることを特徴とする請求項１乃至請求項１２のいずれか１項に記載の情報処理装置。
【請求項１４】
前記指示された検査の種類は光音響であることを特徴とする請求項１乃至請求項１３のいずれか１項に記載の情報処理装置。
【請求項１５】
被検体に対する検査の種類に関する指示を取得する第１の取得手段と、
前記被検体に対して予定されている検査の情報を取得する第２の取得手段と、
前記指示された検査の種類に関する情報と、前記被検体に対して予定されている検査の情報とに基づいて選択された日時に、前記指示された検査を実施するための検査オーダーを出力する出力手段と、
を有することを特徴とする情報処理装置。
【請求項１６】
被検体に対する検査の種類に関する指示を取得する第１の取得手段と、
前記被検体に対して予定されている検査の情報を取得する第２の取得手段と、
前記指示された検査の種類に関する情報と、前記被検体に対して予定されている検査の情報とに基づいて、前記指示された検査を実施する日時に関する情報である候補日時情報を表示部に表示させる表示制御手段と、
を有することを特徴とする情報処理装置。
【請求項１７】
被検体に対する検査の種類に関する指示を取得する第１の取得手段と、
前記被検体に対して予定されている検査の情報を取得する第２の取得手段と、
前記指示された検査の種類に関する情報と、前記被検体に対して予定されている検査の情報とに基づいて、前記指示された検査を実施する日時に関する情報である候補日時情報を表示部に表示させる表示制御手段と、
を有することを特徴とする情報処理システム。
【請求項１８】
被検体に対する検査の種類に関する指示を取得する工程と、
前記被検体に対して予定されている検査の情報を取得する工程と、
前記指示された検査の種類に関する情報と、前記被検体に対して予定されている検査の情報とに基づいて、前記指示された検査を実施する日時に関する情報である候補日時情報を表示部に表示させる工程と、
を有することを特徴とする情報処理方法。
【請求項１９】
被検体に対する検査の種類に関する指示を取得する工程と、
前記被検体に対して予定されている検査の情報を取得する工程と、
前記指示された検査に関する情報と、前記被検体に対して予定されている検査の情報とに基づいて、前記検査を実施する日時の複数の候補を生成する工程と、
前記生成された複数の候補を表示部に表示させる工程と、
前記表示された複数の候補の中から前記指示された検査を実施する日時の選択を受け付ける工程と、
前記日時に前記指示された検査を実施するための検査オーダーをオーダリングシステムに出力する工程と、
を有することを特徴とする情報処理方法。
【請求項２０】
請求項１８又は請求項１９のいずれか１項に記載の情報処理方法をコンピュータに実行させるためのプログラム。
【発明の詳細な説明】
【技術分野】
【０００１】
本明細書の開示は、情報処理装置、情報処理方法、情報処理システム及びプログラムに関する。
【背景技術】
【０００２】
病院内の各部門の端末をネットワークで相互に接続して構築されたシステムとして、ＨＩＳ（Ｈｏｓｐｉｔａｌ  Ｉｎｆｏｒｍａｔｉｏｎ  Ｓｙｓｔｅｍ）と呼ばれる病院情報システムが構築される場合がある。また、ＲＩＳ（Ｒａｄｉｏｌｏｇｙ  Ｉｎｆｏｒｍａｔｉｏｎ  Ｓｙｓｔｅｍ）と呼ばれる放射線部門情報システムのように、診療科に合わせた情報処理システムが構築される場合がある。
【０００３】
医師は、ＨＩＳやＲＩＳを介して、検査オーダーを検査部門に伝達することができる。検査オーダーには、検査を依頼した部門名、検査項目（放射線撮影であれば撮影部位等）、及び患者に関する情報等が含まれる。（特許文献１）
【先行技術文献】
【特許文献】
【０００４】
【特許文献１】特開２０１２−１９２１３１号公報
【発明の概要】
【発明が解決しようとする課題】
【０００５】
検査オーダーを依頼しようとする際に、他の検査の影響や患者の個別の状況が対象の検査オーダーに与える影響を鑑みて検査実施日を決定することは、医師にとって手間となる作業である場合がある。
【課題を解決するための手段】
【０００６】
本発明の実施形態に係る情報処理装置は、被検体に対する検査の種類に関する指示を取得する第１の取得手段と、前記被検体に対して予定されている検査の情報を取得する第２の取得手段と、前記指示された検査の種類に関する情報と、前記被検体に対して予定されている検査の情報とに基づいて、前記指示された検査を実施する日時に関する情報である候補日時情報を表示部に表示させる表示制御手段と、を有することを特徴とする。
【発明の効果】
【０００７】
本発明の実施形態に係る情報処理装置によれば、検査オーダーを依頼する医師といった操作者は、検査を実施する候補日時を把握することができる。
【図面の簡単な説明】
【０００８】
【図１】本発明の実施形態に係る情報処理装置の機能構成の一例を示す図。
【図２】本発明の実施形態に係る情報処理装置のハードウェア構成の一例を示す図。
【図３】本発明の実施形態に係る情報処理装置により行われる処理の一例を示すフローチャート。
【図４】第１の実施形態に係るＧＵＩの一例を示す図。
【図５】第１の実施形態に係るＧＵＩの一例を示す図。
【図６】第２の実施形態に係るＧＵＩの一例を示す図。
【図７】本発明の実施形態の変形例に係るＧＵＩの一例を示す図。
【発明を実施するための形態】
【０００９】
以下、図面を参照して本発明の実施形態を説明する。
【００１０】
［第１の実施形態］
図１は、情報処理装置１０の機能構成の一例を示す図である。情報処理装置１０は、ＨＩＳ１００、ＲＩＳ１１０、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）１２０と、通信ネットワークを介して接続されている。
【００１１】
ＨＩＳ１００は、病院の業務を支援するシステムである。ＨＩＳ１００は、１台、もしくは複数台のＨＩＳ端末（不図示）を有する。ＨＩＳ１００は、患者情報などを取り扱う電子カルテシステムや、オーダリングシステムや、診療報酬情報を取り扱うレセプトシステムを含んでもよい。オーダリングシステムとは、検査オーダーを発行し、検査を行う部門のシステムに当該検査オーダーを送信するシステムである。オーダリングシステムで登録された検査オーダーは、ＲＩＳ１１０のサーバーに格納される。また、ＨＩＳ１００は、薬剤管理システム、入退院管理システム、会計システムを含んでもよい。これらのシステムはＨＩＳ１００とは別のシステムとして病院内にあってもよい。
【００１２】
ＲＩＳ１１０は、放射線部門で実施される検査や治療を管理するシステムである。ＲＩＳ１１０は院内の各科から放射線部門に向けて出された検査オーダーを、担当の部署に配信する。ＲＩＳ１１０は、検査実施後に、電子カルテ、オーダリングシステム、ＰＡＣＳ１２０、会計システムなどに実施情報を送信する。ＲＩＳ１１０は検査の予約管理、患者の受付管理、検査の実績管理、患者情報管理、他システムとの連携などを行う。
【００１３】
検査の予約管理とは、放射線部門の様々な医用画像撮影装置（以下では、単に撮影装置と称する。）の予約決定・取り消し、予約枠の設定などにかかる管理である。ＲＩＳ１１０はオーダリングシステム（ここではＨＩＳ１００）から送信された検査オーダーを格納し、患者が放射線部門に来て検査を実施することになるまで待機する。撮影装置のコンソール（不図示）または担当の部署における端末（不図示）から、撮影装置の種類（検査の種類）や患者ＩＤに応じた照会を受け、該当する検査オーダーを当該端末に送信する。
【００１４】
患者の受付管理とは、受付番号の発行、検査内容に応じた検査室の自動振り分けなどにかかる管理である。ＨＩＳ１００から送信された検査オーダーに受付番号を発行して付与する。
【００１５】
検査の実績管理とは、検査実施状況のＨＩＳへの伝達、会計情報の会計システムへの伝達などにかかる管理である。患者情報管理とは、検査オーダーの情報と患者に関する情報などをＨＩＳより取得し、ＲＩＳ端末の表示部（不図示）に表示させる管理である。
【００１６】
他システムとの連携とは、ＨＩＳ１００やＰＡＣＳ１２０などとの連携である。ＲＩＳ１１０は、１台、もしくは複数台のＲＩＳ端末（不図示）を有する。
【００１７】
ＰＡＣＳ１２０は、検査で取得された医用画像を保存して管理する画像サーバーである。ＰＡＣＳ１２０は医用画像を電子的に保管し、ネットワーク上の端末（不図示）からの要求を受けて、医用画像を当該端末に配信する。ＰＡＣＳ１２０は一つまたは複数のサーバーから構成される。ＰＡＣＳ１２０は外部のデータセンターを利用したクラウドコンピューティングにより構成されてもよい。ＰＡＣＳ１２０は、保管されている医用画像を閲覧する端末（不図示）を含んでよい。ＰＡＣＳ１２０はＨＩＳ１００、ＲＩＳ１１０、情報処理装置１０から患者ＩＤや検査日、受付番号といった情報を受信し、該当する検査の情報や、医用画像をそれぞれの装置に送信する。
【００１８】
情報処理装置１０は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成されるネットワーク介して、ＨＩＳ１００、ＲＩＳ１１０、ＰＡＣＳ１２０と相互に接続される。近年では、診断に用いられる医用画像や診断に関する各種の情報が電子化されており、各種の装置間の情報連携のために、例えばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格が用いられることが多い。ＤＩＣＯＭは医用画像のフォーマットと、それらの画像を扱う装置間の通信プロトコルを定義した規格である。以下では、装置間の通信と医用画像のフォーマットはＤＩＣＯＭ規格に則っているものとして説明する。
【００１９】
情報処理装置１０は、通信部２０、情報記憶部３０、検査オーダー生成部４０、候補日時情報生成部５０、表示制御部６０、情報取得部７０を有する。情報処理装置１０は、表示部８０、入力部９０と接続されている。
【００２０】
通信部２０は、送信部２１と受信部２２とを有する。送信部２１は検査オーダーをオーダリングシステムに送信する。本実施形態において検査は放射線部門で行われるものとする。本実施形態においてオーダリングシステムはＨＩＳ１００に含まれ、ＨＩＳ１００のオーダリングシステムからＲＩＳ１１０へ検査オーダーが送信されるものとする。検査オーダーは、ＲＩＳ１１０から撮影装置に送信される。したがって、本実施形態では送信部２１は検査オーダーをＨＩＳ１００に送信する。
【００２１】
検査オーダーには、検査を依頼する医師が放射線部門の検査の担当者へ伝達する情報が含まれる。具体的には、検査オーダーには、検査情報、依頼先の部門（診療科）、依頼者（医師）、依頼元の部門（診療科）、依頼日時、および患者情報等が含まれる。検査情報とは、依頼元の部門で検査を行うために必要な情報である。検査情報としては、例えば、検査を行う撮影装置の種類、撮影方法の種類、検査部位、検査方法、造影剤使用の有無、検査日時等が挙げられる。患者情報としては、例えば、患者氏名、患者ＩＤ、生年月日、性別等が挙げられる。
【００２２】
受信部２２は、患者情報等をＨＩＳ１００、ＲＩＳ１１０から取得する。受信部２２は例えば、電子カルテから検査に対する患者の禁忌情報を取得する。禁忌情報とは例えば、放射線検査時に使用する造影剤に対する副作用の情報である。また受信部２２は、ＲＩＳ１１０に登録されている未実施の検査オーダーを取得する。
【００２３】
情報記憶部３０は、検査オーダー生成部４０で生成された検査オーダーの情報を保存する。また情報記憶部３０は、通信部２０を介して、ＨＩＳ１００、ＲＩＳ１１０、ＰＡＣＳ１２０から取得された情報を保存する。
【００２４】
検査オーダー生成部４０は、情報取得部７０が取得した情報に基づいて検査オーダーを生成する。検査オーダーの情報としては、上述したように、検査情報、依頼先の部門（診療科）、依頼者（医師）、依頼元の部門（診療科）、依頼日時、および患者情報等が含まれる。
【００２５】
候補日時情報生成部５０は、データベース（ＤＢ）５１を有し、情報取得部７０が取得した情報に基づいて、検査の実施候補日の情報を生成する。
【００２６】
ＤＢ５１は、薬物の情報や、制約情報を記憶するデータベースである。薬物の情報とは、例えば医用画像の撮影を含む画像診断や生体検査、抗がん剤などを用いた薬物治療で用いられる薬物の情報である。制約情報とは、例えば各検査に対する禁止事項や、複数の検査を実施する場合の実施優先順位、検査を実施する技師や医師の有無などの情報である。複数の検査を実施する場合の、検査の種類に応じた検査の優先順位を以下では優先規則と称する。また、制約情報は例えば磁気共鳴断層撮影装置（ＭＲＩ：Ｍａｇｎｅｔｉｃ  Ｒｅｓｏｎａｎｃｅ  Ｉｍａｇｉｎｇ）での検査実施時における、金属物禁忌や体内電子機器の禁忌に関する情報を含む。また、制約情報は例えばＭＲＩやＸ線ＣＴ（Ｃｏｍｐｕｔｅｄ  Ｔｏｍｏｇｒａｐｈｙ）装置などの造影剤を使用する検査における、造影剤に対するアレルギー情報や呼吸器疾患の情報を含む。
【００２７】
候補日時情報生成部５０は、情報取得部７０が取得した患者情報、検査情報と、情報記憶部３０に保存されている、ＨＩＳ１００やＲＩＳ１１０から取得された情報とを、ＤＢ５１に記憶されている情報に照らし合わせることで、検査を実施する候補日時情報を生成する。具体的には、候補日時情報生成部５０は、操作者が新しく検査を依頼する場合に、患者に対して既にＲＩＳ１１０に登録されている検査オーダーと、優先規則とに基づいて、検査を実施できる日時を候補日時情報として生成する。
【００２８】
表示制御部６０は、表示部８０に表示される内容を制御する。例えば表示制御部６０は、操作者が検査を依頼するためのＧＵＩを表示部８０に表示させる。表示制御部６０は、ＧＵＩに候補日時情報生成部５０で生成された、検査実施の候補日時情報を表示制御部６０に表示させる。また表示制御部６０は、情報取得部７０で入力された患者情報に基づいて、すでに実施された検査の医用画像を表示部８０のＧＵＩ上に表示させる。
【００２９】
情報取得部７０は、操作者の指示に基づいて情報を取得する。医師といった操作者は、表示部８０に表示されるＧＵＩと入力部９０を介して、情報を情報処理装置１０に入力することができる。情報取得部７０は、入力部９０を介して入力された情報を取得する。例えば情報取得部７０は、操作者が入力した患者情報を取得する。また、情報取得部７０は検査情報を取得する。なお、ここで入力される患者情報および検査情報はＧＵＩを介して操作者が任意に入力する情報であり、先に例示した患者情報および検査情報のすべての項目を含まなくてよい。
【００３０】
操作者は、すでにＨＩＳ１００に登録されている患者情報を取得することを目的として、入力部９０を介して患者情報を入力することができる。情報取得部７０は、操作者が入力した患者情報を取得する。例えば情報取得部７０は、操作者が入力した患者氏名を取得する。情報取得部７０は、通信部２０を介してＨＩＳ１００に登録されている患者情報を取得して、情報処理装置１０に取り込み、情報記憶部３０に記憶させる。このとき情報取得部７０は通信部２０及び情報記憶部３０に、併せてＲＩＳ１１０から、対象の患者が既に受診した検査や予約されている検査の情報を取得させる。さらに情報取得部７０は通信部２０及び情報記憶部３０に、既に受診した検査の医用画像をＰＡＣＳ１２０から取得させてもよい。
【００３１】
また、操作者は新規の患者として、ＨＩＳ１００に患者情報を登録することができる。この場合に操作者は、上述の患者情報の他に、患者の身体的情報を含めたプロファイル情報、病名、既往歴などの情報を、入力部９０を介して入力することができる。情報取得部７０は操作者が入力したこれらの情報を取得し、通信部２０を介してＨＩＳ１００に送信する。
【００３２】
表示部８０は、表示制御部６０の制御を受けて、操作者が検査オーダーの依頼を実施するためのＧＵＩ（Ｇｒａｐｈｉｃａｌ  Ｕｓｅｒ  Ｉｎｔｅｒｆａｃｅ）を表示する。表示部８０は、液晶ディスプレイや有機ＥＬ（Ｅｌｅｃｔｒｏ  Ｌｕｍｉｎｅｓｃｅｎｃｅ）、ＦＥＤ（Ｆｉｅｌｄ  Ｅｍｉｓｓｉｏｎ  Ｄｉｓｐｌａｙ）、メガネ型ディスプレイ、ヘッドマウントディスプレイなどのディスプレイで構成され、情報処理装置１０と有線または無線で接続される。
【００３３】
入力部９０は、情報処理装置１０に情報を入力する。入力部９０は例えば、キーボード、マウス、ジョイスティック、タッチパネル、スイッチボックス、音声を含む音や音を受信するマイク、特定のジェスチャーを受け付ける装置である。
【００３４】
図２は情報処理装置１０のハードウェア構成の一例を示す図である。情報処理装置１０は、例えばコンピュータである。情報処理装置１０は、ＣＰＵ１１、ＲＯＭ１２、ＲＡＭ１３、記憶装置１４、ＵＳＢ１５、通信回路１６、グラフィックスボード１７を有する。これらはＢＵＳにより通信可能に接続されている。ＢＵＳは接続されたハードウェア間でのデータの送受信や、ＣＰＵ１１から他のハードウェアへの命令を送信するために使用される。
【００３５】
ＣＰＵ（Ｃｅｎｔｒａｌ  Ｐｒｏｃｅｓｓｉｎｇ  Ｕｎｉｔ）１１は情報処理装置１０及びこれに接続する各部を統合的に制御する制御回路である。ＣＰＵ１１はＲＯＭ１２に格納されているプログラムを実行することにより制御を実施する。またＣＰＵ１１は、表示部８０を制御するためのソフトウェアであるディスプレイドライバを実行し、表示部８０に対する表示制御を行う。さらにＣＰＵ１１は、入力部９０に対する制御を行う。
【００３６】
ＲＯＭ（Ｒｅａｄ  Ｏｎｌｙ  Ｍｅｍｏｒｙ）１２は、ＣＰＵ１１による制御の手順を記憶させたプログラムやデータを格納する。ＲＯＭ１２は、情報処理装置１０のブートプログラムや各種初期データを記憶する。また、情報処理装置１０の処理を実現するための各種のプログラムを記憶する。
【００３７】
ＲＡＭ（Ｒａｎｄｏｍ  Ａｃｃｅｓｓ  Ｍｅｍｏｒｙ）１３は、ＣＰＵ１１が命令プログラムによる制御を行う際に作業用の記憶領域を提供するものである。ＲＡＭ１３は、スタックとワーク領域とを有する。ＲＡＭ１３は、情報処理装置１０及びこれに接続する各部における処理を実行するためのプログラムや、画像処理で用いる各種パラメータを記憶する。ＲＡＭ１３は、ＣＰＵ１１が実行する制御プログラムを格納し、ＣＰＵ１１が各種制御を実行する際の様々なデータを一時的に格納する。
【００３８】
記憶装置１４は、患者情報や検査情報、医用画像などの各種のデータを保存する補助記憶装置である。記憶装置１４は、例えばＨＤＤ（Ｈａｒｄ  Ｄｉｓｋ  Ｄｒｉｖｅ）や、ＳＳＤ（Ｓｏｌｉｄ  Ｓｔａｔｅ  Ｄｒｉｖｅ）である。
【００３９】
ＵＳＢ（Ｕｎｉｖｅｒｓａｌ  Ｓｅｒｉａｌ  Ｂｕｓ）１５は入力部９０と接続する接続部である。
【００４０】
通信回路１６は通信ネットワークに接続されている各種の外部装置との通信を行うための回路である。通信回路１６は、例えば出力する情報を転送用パケットに格納してＴＣＰ／ＩＰといった通信技術により、通信ネットワークを介して外部装置に出力する。情報処理装置１０は、所望の通信形態にあわせて、複数の通信回路を有していてもよい。
【００４１】
グラフィックスボード１７は、ＧＰＵ（Ｇｒａｐｈｉｃｓ  Ｐｒｏｃｅｓｓｉｎｇ  Ｕｎｉｔ）、ビデオメモリを含む。ＧＰＵは、例えば光音響信号から光音響画像を生成するための再構成処理に係る演算を行う。
【００４２】
ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）１８は、表示部８０と接続する接続部である。
【００４３】
ＣＰＵ１１やＧＰＵはプロセッサの一例である。また、ＲＯＭ１２やＲＡＭ１３や記憶装置１４はメモリの一例である。情報処理装置１０は複数のプロセッサを有していてもよい。第１の実施形態においては、情報処理装置１０のプロセッサがメモリに格納されているプログラムを実行することにより、情報処理装置１０の各部の機能が実現される。
【００４４】
また、情報処理装置１０は特定の処理を専用に行うＣＰＵやＧＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を有していても良い。情報処理装置１０は特定の処理あるいは全ての処理をプログラムしたＦＰＧＡ（Ｆｉｅｌｄ−Ｐｒｏｇｒａｍｍａｂｌｅ  Ｇａｔｅ  Ａｒｒａｙ）を有していてもよい。以下では、プロセッサと表現する場合にＡＳＩＣやＦＰＧＡを含んでよい。
【００４５】
図３は、第１の実施形態に係る情報処理装置１０により行われる処理の一例を示すフローチャートである。図３を用いて、医用画像の一つである光音響画像を取得する、光音響診断装置の検査オーダーを依頼する処理を説明する。以下では、被検体に光を照射し、被検体内部で生じた吸収体の膨張によって発生する音響波を光音響波と呼び、光音響波を用いて画像化された画像を光音響画像と呼ぶ。光音響画像では、例えば、ヘモグロビンの光学特性により血管が抽出されることが知られている。
【００４６】
ステップＳ３０１において操作者は、表示部８０に表示されるＧＵＩに入力部９０を用いて情報処理装置１０に患者情報を入力する。情報取得部７０は操作者が入力した患者情報を取得する。操作者が患者情報を入力する目的は、主に、ＨＩＳ１００に登録されている患者情報を取得することである。
【００４７】
ステップＳ３０２において送信部２１は、ステップＳ３０１で入力された患者情報を、ＨＩＳ１００へ送信する。
【００４８】
ステップＳ３０３においてＨＩＳ１００は、情報処理装置１０から送信された患者情報を元に、ＨＩＳ１００に登録されている情報の中から検索を行う。検索が行われた結果、該当する患者情報が有った場合に、ＨＩＳ１００は当該患者情報を検索結果として抽出する。この検索結果には、受診履歴や禁忌情報、既往歴などの情報も含まれる。また、ＨＩＳ１００内に該当する情報が有る場合に、ＨＩＳ１００又は通信部２０はＲＩＳ１１０に患者情報を送信して、ＲＩＳ１１０内に登録されている検査の情報を検索する。ＲＩＳ１１０は、検索により、実施された検査や予定されている検査の検査オーダーを抽出する。この際ＲＩＳ１１０は、既に実施された検査時に発生した、造影剤アレルギー情報などのトラブル情報も付帯情報として抽出することができる。ＲＩＳ１１０内での検索の結果、既に実施された検査が有る場合に、ＨＩＳ１００又はＲＩＳ１１０又は通信部２０は、ＰＡＣＳ１２０に患者情報を送信して、ＰＡＣＳ１２０に登録されている医用画像の検索を実施してもよい。ＰＡＣＳ１２０は検索により、既に実施された検査により取得された医用画像を抽出する。
【００４９】
ＨＩＳ１００内の検索の結果、通信部２０から送信された患者情報に該当する情報が無かった場合、ＨＩＳ１００は該当する情報が無い旨を情報処理装置１０に通知する。
【００５０】
ステップＳ３０４において受信部２２は、ステップＳ３０３で抽出された結果を受信する。
【００５１】
ステップＳ３０５において情報記憶部３０は、ステップＳ３０５で受信された抽出結果を保存する。
【００５２】
ステップＳ３０６において表示制御部６０は、ステップＳ３０５で情報記憶部３０に保存された抽出結果を、表示部８０のＧＵＩへ表示させる。
【００５３】
ステップＳ３０３において、ＨＩＳ１００に所望の患者情報が保存されておらず、検索結果が得られなかった場合、ステップＳ３０４において受信部２２はその旨のメッセージをＨＩＳ１００から受信する。ステップＳ３０５は行われず、ステップＳ３０６に進む。ステップＳ３０６において表示制御部６０は、後述のように操作者に患者情報を入力させるためのＧＵＩを表示部８０に表示させる。
【００５４】
ステップＳ３０７において操作者は、入力部９０を介して、希望する検査日を入力し、情報取得部７０は入力された情報を取得し、候補日時情報生成部５０へ送る。
【００５５】
図４に、表示部８０に表示されるステップＳ３０７のＧＵＩ３００の表示例を示す。
【００５６】
表示領域３１０は、操作者が患者情報を入力するための領域である。ステップＳ３０１〜Ｓ３０５により取得された情報が表示されている。取得されていない項目は、ブランクのまま表示される。
【００５７】
ステップＳ３０１において操作者は、表示領域３１０の患者氏名、患者ＩＤのいずれか一方、もしくは両方を入力する。患者氏名と患者ＩＤの入力方法としては、操作者がキーボード（入力部９０）により入力してもよいし、患者が装着しているリストバンドに記載されているバーコードをバーコードリーダー（入力部９０）により読み取ってもよい。情報取得部７０は、バーコードリーダーが読み取った内容をＤＢ５１や院内のデータベース（不図示）に照会して患者情報を取得し、表示制御部６０を介して表示領域３１０に表示する。患者氏名、患者ＩＤを入力後、操作者はマウスなど（入力部９０）を用いて検索ボタンを押下する。これにより、ステップＳ３０２以降の処理が実施される。
【００５８】
図４の例では、ステップＳ３０３においてＨＩＳ１００が抽出し、ステップＳ３０４で受信した情報としてさらに生年月日、年齢、性別がステップＳ３０６において表示されている。
【００５９】
ステップＳ３０３においてＨＩＳ１００に該当する患者情報が無かった場合、表示制御部６０はステップＳ３０６において入力した患者氏名の背景を赤色で表示したり、ポップアップウィンドウ（不図示）で該当情報無しの通知をしてもよい。該当情報が無かった場合には、操作者は必要に応じて未入力の情報を表示領域３１０に入力し、登録ボタンを押下することで、ＨＩＳ１００へ患者情報を登録することができる。また、患者情報を追加で入力した場合には、更新ボタンを押下することで、患者情報を更新することができる。
【００６０】
表示領域３２０には、患者付帯情報が表示されている。患者付帯情報とは、ＨＩＳ１００やＲＩＳ１１０から取得された情報で、禁忌情報や既往歴などの情報を含む。以下では、氏名、患者ＩＤ、生年月日、年齢、性別に関する情報を患者基本情報と称する。医用画像に付帯する付帯情報や、電子カルテ等から取得される患者に関する情報で患者基本情報に含まれないものを患者付帯情報と称する。患者情報のうち、患者付帯情報とする情報を操作者が事前に設定しておいてもよい。操作者は表示領域３２１から、追加の患者付帯情報を入力することができる。操作者は追加で入力した際に、表示領域３１０の更新ボタンを押すことで、ＨＩＳ１００の情報を更新してもよい。
【００６１】
表示領域３３０には、依頼可能な検査の種類が選択肢として表示されている。検査種類として、画像検査、組織検査、内視鏡検査が表示例として表示されているが、病院環境によって適宜設定がなされる。図４の例では画像検査の種類として、撮影装置による区分が表示されており、ＣＴ、ＭＲＩ、エコー、ＭＭＧ（Ｍａｍｍｏｇｒａｐｈｙ）、ＰＥＴ（Ｐｏｓｉｔｒｏｎ  Ｅｍｉｓｓｉｏｎ  Ｔｏｍｏｇｒａｐｈｙ）、ＰＡＴ（Ｐｈｏｔｏａｃｏｕｓｔｉｃ  Ｔｏｍｏｇｒａｐｈｙ）が表示されている。ＰＡＴは、本実施例における光音響診断装置である。図４の例では組織検査の種類として、ＭＭＴ（Ｍａｍｍｏｔｏｍｅ）、ＣＮＢ（Ｃｏｒｅ  Ｎｅｅｄｌｅ  Ｂｉｏｐｓｙ）が表示されている。図４の例では内視鏡検査の種類として、上部消化管、小腸、大腸が表示されている。
【００６２】
表示領域３４０には、検査実施日を表示し、操作者が入力するためのカレンダーが表示されている。操作者が年月を入力、もしくは選択することに応じて、表示制御部６０は対象月のカレンダーを表示してもよい。図４の例では、年月選択ボタンを操作者が押下してプルダウンリストから２０１７年９月を選択している。
【００６３】
表示領域３５０には、検査オーダーの依頼者情報が表示されている。この依頼者情報は、情報処理装置にログインした際の情報を元にして自動的に表示されてもよい。
【００６４】
ステップＳ３０７において操作者は、表示領域３４０に表示されるカレンダー上の希望日を、マウスなどを用いて希望日をクリックすることで、希望する検査日を入力する。図４の例では、９月１３日が検査日として入力されている。また、入力された検査日は、カレンダー上で強調表示されている。操作者は表示領域３４０上の決定ボタンを押下することで検査日の入力が完了する。
【００６５】
ステップＳ３０８において表示制御部６０は、ステップＳ３０７で入力された検査日の情報に基づいて、入力された検査日の前後数日の日程の詳細カレンダーを表示領域３４０へ表示する。表示される詳細カレンダーの日程幅は、操作者が任意に設定することができる。また、詳細カレンダーには、１日の中で検査を実施できる時間帯が表示される。この時間帯の情報については、操作者が任意に設定することができ、例えば医療機関ごとの運用に応じて設定することができる。
【００６６】
ステップＳ３０９において操作者は、入力部９０を介して検査の種類を入力する。表示領域３３０に表示される検査の種類の選択肢の中から、操作者は入力部９０の一例であるマウス等で一つの検査の種類をクリックする。ここでは、操作者はＰＡＴを選択した場合を例に説明する。
【００６７】
ステップＳ３１０において候補日時情報生成部５０は、情報記憶部３０に保存されている患者の予定されている検査の情報を取得する。すなわち、候補日時情報生成部５０はステップＳ３０３でＲＩＳ１１０から取得された、検査オーダーの情報を取得する。
【００６８】
候補日時情報生成部５０は、ステップＳ３０９で入力された検査の種類の情報に対して、ＤＢ５１に格納されている検査の優先規則の情報を取得する。ＰＡＴにおける優先規則の例としては、造影剤を用いる検査であるＣＴ検査やＭＲＩ検査の後では、当該造影剤が被検体からクリアランスされるまでＰＡＴ検査を実施できないという内容が挙げられる。これは、造影剤がＰＡＴ検査で用いる光を吸収する場合があり、ＰＡＴ画像上でアーチファクトとして画像化されてしまうからである。したがって、ＣＴやＭＲＩの検査において造影剤を使用しない場合や、造影剤がＰＡＴ検査で用いる光を吸収しないことが分かっている場合には、優先規則の対象とならない。
【００６９】
また、候補日時情報生成部５０は、通信部２０を介してＲＩＳ１１０からＰＡＴ検査を行う撮影装置の予約枠に関する情報を取得する。
【００７０】
ステップＳ３１１において候補日時情報生成部５０は、ステップＳ３１０で適用された優先規則を元に、入力された検査を実施する候補日時情報を生成する。
【００７１】
ステップＳ３１２において表示制御部６０は、表示部８０にステップＳ３０７及びステップＳ３０９で入力された検査の情報と、既に検査オーダーがＲＩＳ１１０に登録されている未実施の検査の情報とを表示させる。ステップＳ３０７及びステップＳ３０９で入力された検査の情報には、当該検査を行う撮影装置の予約枠を示す情報を含む。
【００７２】
図５（ａ）に、表示部８０に表示されるステップＳ３１２のＧＵＩ３００の表示例を示す。
【００７３】
操作者がステップＳ３０７で検査日を決定した後、ステップＳ３０８で、表示領域３４０には、検査日と前後２日の詳細カレンダーが表示される。図５（ａ）に例示する詳細カレンダーでは、１日が４つの時間帯に区切られ、午前１／午前２／午後１／午後２が時間帯として表示されている。
【００７４】
操作者はステップＳ３０９で、表示領域３３０に表示されている検査種類の選択肢の中からＰＡＴを選択する。図５（ａ）の例では、選択されたＰＡＴの項目の背景が灰色で強調されている。表示領域３３１には、表示領域３３０で選択した検査種類の詳細設定項目が表示される。図５（ａ）の例では、ＰＡＴの詳細設定項目として検査部位の選択ボタンが表示されており、操作者は選択ボタンを押下してプルダウンリストから乳房を選択している。検査の種類が入力されることで、ステップＳ３１０〜Ｓ３１１の処理がなされる。
【００７５】
図５（ｂ）は優先規則の概念の一例を示す図である。図５（ｂ）は、左側に記されたＰＡＴ検査が、ＣＴ検査及びＭＲＩ検査に対して優先されることを示す。ここでは、同日に実施される検査の種類に応じた優先規則を例に説明するが、特にこれに制約されることはなく、優先規則は複数日で実施される検査に対して設定されてもよい。
【００７６】
ステップＳ３１２では、表示領域３４０の詳細カレンダーに、ＰＡＴ検査の実施候補日と、オーダー済みの他検査の実施予定日時とが併せて表示される。図５（ａ）の表示例では、ＰＡＴ検査の実施候補日時として６つの時間帯が表示されている。実施候補日時は、ＰＡＴ検査を行う撮影装置の予約枠のうち、まだ検査が予定されていない予約枠と対応する。具体的には、実施候補日・時間帯にＰＡＴ検査を示すアイコンが表示されている。
【００７７】
表示制御部６０は、ＰＡＴ検査の複数の実施候補日時を、優先規則に適合する候補と適合しない候補とで区別可能に表示させる。図５（ａ）の例で、ＰＡＴが灰色で表示されている時間帯（９月１２日の午後２、９月１３日の午前２）は、ＰＡＴ検査自体は実施可能であるが制約条件である優先規則に反することを意味している。具体的には、９月１２日の午後１にＣＴの検査オーダーが、９月１３日の午前１にＭＲＩの検査オーダーが既にＲＩＳ１１０に登録されている。図５（ａ）の例では、９月１２日午後１のＣＴ検査と、９月１３日午前１のＭＲＩ検査とをそれぞれ示すアイコンの枠が強調して表示されている。
【００７８】
操作者が９月１２日午後１及び９月１３日午前１の二つの時間帯のいずれかを選択した場合、表示制御部６０は表示領域３４１に、図５（ｃ）の表示例のように優先規則に適合しないことと、関係する検査オーダー（ここでは９月１２日午前１のＣＴ検査）とをコメントとして表示することができる。
【００７９】
図５（ａ）の例では、ＰＡＴ検査の横に技師を示すアイコンがさらに表示されている。技師のアイコンは、ＰＡＴ検査を実施する検査技師の有無を示している。ここでは、技師のアイコンの背景が白色の場合、技師がいることを示し、当該背景が灰色の場合、技師が不在であることを示す。例えば、９月１２日の午前２では、ＰＡＴ検査を実施する検査技師がいないことを示している。操作者が選択した実施候補日時のうち、技師が不在の場合についても、表示制御部６０は表示領域３４１にコメントを表示させてもよい。
【００８０】
ステップＳ３１３で、操作者はＰＡＴ検査を行う日時を決定する。操作者は、ＧＵＩ３００の表示領域３４０に表示されるカレンダー上で、候補の中から希望する日時をマウスなどでクリックして選択する。操作者が決定ボタンを押下することでＰＡＴ検査の実施日時が決定する。情報取得部７０は選択された日時の情報を取得する。
【００８１】
ステップＳ３１４において、表示制御部６０は決定された検査の情報を表示部８０に表示させる。
【００８２】
図６（ａ）は、表示部８０に表示されるステップＳ３１４のＧＵＩ３００の一例を示す図である。図６（ａ）の例では、操作者により９月１４日の午前２の時間帯でＰＡＴ検査の実施が決定されている。
【００８３】
ステップＳ３１５において検査オーダー生成部４０は、ステップＳ３１３で決定されたＰＡＴ検査日の情報を元に検査オーダーを生成する。生成される検査オーダーの具体的な内容としては、依頼先（放射線診断科などの診療科）、検査実施日および時間、検査種類（ＰＡＴ）、検査部位（乳房）、依頼者名、依頼者所属部門などである。検査オーダー生成部４０は情報記憶部３０やＨＩＳ１００等から情報を取得し、生成する検査オーダーに情報を引き継いでもよい。
【００８４】
ステップＳ３１６において情報記憶部３０は、ステップＳ３１３で生成された検査オーダーを保存する。
【００８５】
ステップＳ３１７において送信部２１は、ステップＳ３１３で生成された検査オーダーをＨＩＳ１００に送信する。ここではＨＩＳ１００にオーダリングシステムがあり、ＨＩＳ１００からＲＩＳ１１０に検査オーダーが送信される。医療機関において、オーダリングシステムがＲＩＳ１１０にある場合、送信部２１はＨＩＳ１００とＲＩＳ１１０とに検査オーダーを送信する。
【００８６】
ステップＳ３１８においてＨＩＳ１００は、情報処理装置１０から受信した検査オーダーをオーダリングシステムに登録し、ＲＩＳ１１０に送信する。
【００８７】
ステップＳ３１９において表示制御部６０は、検査オーダーの依頼が完了したことをＧＵＩ３００に表示させる。例えば図６（ｂ）に示すように、表示領域３４１に検査オーダーの依頼が完了したことを示すメッセージを表示させる。
【００８８】
操作者は、依頼が完了している検査オーダーについて、表示領域３４０の消去ボタンを用いて検査オーダーを消去することができる。
【００８９】
以上のように、医師といった操作者は、検査オーダーを依頼する際に他の検査などの医療イベントの影響のない実施日を、情報処理装置に表示される候補日時情報の中から選択し決定することができる。
【００９０】
［第２の実施形態］
第２の実施形態では、図３に示すステップＳ３１３で決定された検査日時が優先規則に適合しない時間帯である場合の情報処理装置１０の処理について説明する。
【００９１】
以下に、第１の実施形態と異なる内容について説明する。具体的には、図３に示すステップＳ３１３以降の処理でのＧＵＩ３００の表示方法の内容について説明する。第１の実施形態と同じ表示方法については、上述した説明を援用することにより、ここでの詳しい説明を省略する。
【００９２】
図７は、第２の実施形態において、表示部８０に表示されるステップＳ３１４のＧＵＩ３００の表示例である。図７（ａ）の例では、操作者により９月１２日の午後２の時間帯がＰＡＴ検査の実施日時として決定されている。
【００９３】
ステップＳ３１３で、操作者はＰＡＴ検査日時を決定する。操作者は、ＧＵＩ３００の表示領域３４０に表示されるカレンダー上で、候補日の中から希望する日をマウスなどでクリックして選択し、決定ボタンを押下することでＰＡＴ検査の実施日時が決定される。ここでは、９月１２日午後２にＰＡＴ検査の実施日時が決定されているが、これはＰＡＴにおける優先規則に適合していない（造影ＣＴ検査の後でＰＡＴ検査を実施）。表示制御部６０は表示領域３４１に図７（ｂ）のコメントを表示させ、操作者に内容が通知される。
【００９４】
操作者は通知された内容を確認したうえで、ＰＡＴ検査日時を決定することができる。検査実施日時を決定する決定ボタンを操作者が押下すると、優先規則に適合していない場合、既にオーダリングシステムに登録されている検査オーダーを調整する調整オーダーの依頼が求められる。例えば図７（ｃ）のようなダイアログが表示制御部６０によりポップアップ表示される。
【００９５】
図７（ａ）の例において、調整が必要な、オーダリングシステムに登録されている検査オーダーは、９月１２日の午後１に登録されているＣＴ検査である。候補日時生成部５０は、第１の実施形態と同様にして、当該ＣＴ検査を実施可能な候補日時を取得する。表示制御部６０は変更する場合の候補となる検査日時の候補を表示部８０に表示させる。ここでは、変更後の検査日時の候補として９月１５日の午後２が強調表示されている。同時に、現時点でオーダリングシステムに登録されているＣＴ検査のアイコンは枠が点線で強調表示される。
【００９６】
図７（ｃ）は、調整オーダーを依頼するための画面の一例である。図７（ｃ）のダイアログには、調整の対象となる検査の種類とオーダリングシステムに登録されている検査日時、変更の候補となる検査日時、調整を依頼する依頼先の担当者名が表示されている。操作者は、マウスなどを用いて依頼ボタンを押下することで、検査調整オーダーを依頼先に送信することができる。
【００９７】
ステップＳ３１５において検査オーダー生成部４０は、ステップＳ３１３で決定された調整オーダーの入力情報を元に調整オーダーを生成する。送信部２１は調整オーダーを依頼先に送信する。調整オーダーの依頼が完了したことを示す内容が表示制御部６０によりＧＵＩ３００に表示される。例えば図７（ｄ）の表示例のように、表示領域３４１などにメッセージが表示される。
【００９８】
調整オーダーは、ＨＩＳ１００もしくはＲＩＳ１１０から、依頼先担当者へ電子メールなどで通知されてもよいし、送信部２１から直接依頼先のシステムに送信されてもよい。通知された内容について、依頼先担当者は承諾、もしくは、拒否を選択することができる。方法としては、電子メールでの返信など、適宜選択される。調整オーダーの内容が承諾されるまで、検査オーダー生成部４０は、優先規則に適合しない検査日時に入力されたＰＡＴの検査オーダーをオーダリングシステムに登録しないように制御してもよい。
【００９９】
本実施形態では、検査オーダーを依頼する際に、他の検査種類との優先規則により依頼を実施できない場合に、調整オーダーを依頼することで調整を実施することができる。
【０１００】
［変形例］
情報処理装置１０をＨＩＳ１００及びＲＩＳ１１０とは異なる装置として構成する場合を例に説明したが、これに限らない。例えば情報処理装置１０はＨＩＳ１００の一つのシステムであってもよいし、ＲＩＳ１１０の一つのシステムであってもよい。情報処理装置１０はＨＩＳ１００の端末（不図示）であってもよいし、ＲＩＳ１１０の端末（不図示）であってもよい。
【０１０１】
情報処理装置１０と、ＨＩＳ１００、ＲＩＳ１１０はそれぞれ同一の医療施設に設けられていなくてもよい。例えば情報処理装置１０は、地域の医療施設の連携に用いられてもよい。例えば情報処理装置１０は第１の医療施設にあり、ＨＩＳ１００及びＲＩＳ１１０は第２の医療施設にあってもよい。その場合、情報処理装置１０は第１の医療施設に来院した患者の検査オーダーを、別の医療施設である第２の医療施設で行うように、第２の医療施設のＨＩＳ１００のオーダリングシステムに送信してもよい。情報処理装置１０は検査を受ける被検体（患者）の禁忌情報や、他に予定されている検査オーダー等に基づいて検査オーダーを生成するので、地域医療のように複数の医療施設間で検査を行う場合にも依頼医は適切に検査を実施する日を選ぶことができる。情報処理装置１０は第２の医療施設のＨＩＳ１００に直接検査オーダーを送信してもよいし、地域連携のために設けられたシステム（不図示）等を介して送信してもよい。情報処理装置１０は地域連携のためのシステム（不図示）を兼ねてもよい。
【０１０２】
このように、情報処理装置１０は複数の検査の情報に基づいて、所望の検査を実施できる候補日の情報を生成するので、適切な日程で所望の検査の検査オーダーを依頼できる。他の検査の日程を考慮しなかったために、検査オーダーが発行されたものの結果として実施できなかった検査オーダーが発生しないので、情報処理装置１０によりメモリの使用容量を低減することができる。
【０１０３】
また、患者に対して実施された検査及び予定されている検査は、複数の診療部門から個別に依頼された検査である場合がある。また、上述のように地域医療に情報処理装置１０を活用することもできる。この場合、情報処理装置１０は複数のオーダリングシステムに対してアクセスする場合がある。複数のシステムにまたがってアクセスできる情報処理装置１０は、患者の個人情報を適切に扱うことが求められ、例えば情報処理装置１０は暗号化して当該システム間の通信を行ってもよい。
【０１０４】
上述の実施形態では、優先規則の一例としてＰＡＴ検査が造影ＣＴ検査や造影ＭＲＩ検査に優先して行われる場合を説明したが、これに限らない。例えば造影ＭＲＩ検査に用いられる造影剤がＰＡＴ検査で用いられる光を吸収していることが分かっているとき、ＰＡＴ検査においても当該造影剤の造影効果を利用できるような優先規則としてもよい。具体的には、ＤＢ５１は造影剤のクリアランスに関する情報を有し、例えば優先規則として造影ＭＲＩ検査後１時間以内にＰＡＴ検査を行うこととしてもよい。また、候補日時情報生成部５０は複数の優先規則を組み合わせて候補日時情報を生成してもよい。
【０１０５】
上述の実施形態では、候補日時情報として日付と時間帯（午後１など）との情報を生成する場合を例に説明したが、これに限らない。例えば候補日時情報は、全日で操作者の所望の検査を実施することができる場合には、日付の情報のみを含んでいてもよい。
【０１０６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１０７】
上述の各実施形態における情報処理装置は単体の装置として実現してもよいし、複数の装置を互いに通信可能に組み合わせて上述の処理を実行する情報処理システムとしてもよく、いずれも本発明の実施形態に含まれる。共通のサーバー装置あるいはサーバー群で、上述の処理を実行することとしてもよい。情報処理装置および情報処理システムを構成する複数の装置は所定の通信レートで通信可能であればよく、また同一の施設内あるいは同一の国に存在することを要しない。
【０１０８】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【０１０９】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部又は全部を行い、その処理によっても前述した実施形態の機能が実現され得る。
【０１１０】
上述の実施形態を適宜組み合わせた形態も、本発明の実施形態に含まれる。
【図１】
2019101678.tif 000003
【図２】
2019101678.tif 000004
【図３】
2019101678.tif 000005
【図４】
2019101678.tif 000006
【図５】
2019101678.tif 000007
【図６】
2019101678.tif 000008
【図７】
2019101678.tif 000009